(57)【要約】【課題】配布した広告による広告効果を数値化して検討できるようにする。【解決手段】駐車場利用車両情報DB２２は、店舗の駐車場に入場する車両の画像より、車両のナンバプレートの情報を読み取り、読み取られたナンバプレートの情報に含まれる地域の情報を車両情報として蓄積する。店舗管理DB２６の各店配布情報DB１４１は、店舗１の広告の配布地域毎の配布数を配布情報として記憶する。車両情報検索部１３６は、駐車場利用車両情報DB２２に蓄積された車両情報より、所定の地域に属する車両数の情報を検索する。配布情報検索部１３７は、各店配布情報DB１４１に記憶された所定の地域の配布数を検索し、広告効果計算部１３２は、地域毎の配布数に対する車両数の割合を、配布地域毎の広告効果として計算する。本発明は、広告効果管理システムに適用するようにしてもよい。【選択図】図６
2008003993.tif 000002
【特許請求の範囲】
【請求項１】
店舗の駐車場に入場する車両の画像を撮像する入場車両撮像手段と、
前記入場車両撮像手段により撮像された車両の画像より、前記車両のナンバプレートの情報を読み取る読取手段と、
前記読取手段により読み取られたナンバプレートの情報に含まれる地域の情報を車両情報として蓄積する車両情報蓄積手段と、
前記店舗の広告の配布地域毎の配布数を配布情報として記憶する配布情報記憶手段と、
前記車両情報蓄積手段に蓄積された車両情報より、所定の地域に属する車両数の情報を検索する車両情報検索手段と、
前記配布情報記憶手段により記憶された前記所定の地域の前記配布情報を検索する配布情報検索手段と、
前記配布情報に対する前記車両情報の割合を、前記配布地域毎の広告効果として計算する広告効果計算手段と
を含む情報処理装置。
【請求項２】
前記車両情報蓄積手段は、前記読取手段により読み取られたナンバプレートの情報に含まれる地域の情報を日時ごとに蓄積し、
前記配布情報記憶手段は、前記店舗の広告の配布地域毎の配布数を日時ごとに配布情報として記憶し、
前記車両情報検索手段は、前記車両情報蓄積手段に蓄積された車両情報より、所定の地域に属する車両数の情報を日時ごとに検索し、
前記配布情報検索手段は、前記配布情報記憶手段より前記所定の地域の前記配布情報を日時ごとに検索し、
前記広告効果計算手段は、前記配布情報に対する前記車両情報の割合を、日時ごとに前記配布地域毎の広告効果として計算する
請求項１に記載の情報処理装置。
【請求項３】
前記車両情報蓄積手段は、前記前記入場車両撮像手段により撮像された車両の画像から読み取られたナンバプレートの情報に含まれる地域の情報と共に、前記車両の前記駐車場への入場日時の情報を車両情報として蓄積する
請求項１に記載の情報処理装置。
【請求項４】
前記店舗の駐車場を退場する車両の画像を撮像する退場車両撮像手段をさらに含み、
前記読取手段は、前記入場車両撮像手段により撮像された車両の画像に加えて、前記退場車両撮像手段により撮像された車両の画像より、前記車両のナンバプレートの情報を読み取り、
前記車両情報蓄積手段は、前記前記入場車両撮像手段により撮像された車両の画像から読み取られたナンバプレートの情報のうち、前記前記退場車両撮像手段により撮像された車両の画像から読み取られたナンバプレートの情報を検索し、前記車両が退場した日時をさらに蓄積する
請求項１に記載の情報処理装置。
【請求項５】
店舗の駐車場に入場する車両の画像を撮像する入場車両撮像ステップと、
前記入場車両撮像ステップの処理により撮像された車両の画像より、前記車両のナンバプレートの情報を読み取る読取ステップと、
前記読取ステップの処理により読み取られたナンバプレートの情報に含まれる地域の情報を車両情報として蓄積する車両情報蓄積ステップと、
前記店舗の広告の配布地域毎の配布数を配布情報として記憶する配布情報記憶ステップと、
前記車両情報蓄積ステップの処理で蓄積された車両情報より、所定の地域に属する車両数の情報を検索する車両情報検索ステップと、
前記配布情報記憶ステップの処理により記憶された前記所定の地域の前記配布情報を検索する配布情報検索ステップと、
前記配布情報に対する前記車両情報の割合を、前記配布地域毎の広告効果として計算する広告効果計算ステップと
を含む情報処理方法。
【請求項６】
店舗の駐車場に入場する車両の画像を撮像する入場車両撮像ステップと、
前記入場車両撮像ステップの処理により撮像された車両の画像より、前記車両のナンバプレートの情報を読み取る読取ステップと、
前記読取ステップの処理により読み取られたナンバプレートの情報に含まれる地域の情報を車両情報として蓄積する車両情報蓄積ステップと、
前記店舗の広告の配布地域毎の配布数を配布情報として記憶する配布情報記憶ステップと、
前記車両情報蓄積ステップの処理で蓄積された車両情報より、所定の地域に属する車両数の情報を検索する車両情報検索ステップと、
前記配布情報記憶ステップの処理により記憶された前記所定の地域の前記配布情報を検索する配布情報検索ステップと、
前記配布情報に対する前記車両情報の割合を、前記配布地域毎の広告効果として計算する広告効果計算ステップと
を含む処理をコンピュータに実行させるプログラム。
【発明の詳細な説明】
【技術分野】
【０００１】
本発明は、情報処理装置および方法、並びにプログラムに関し、特に、広告の配布による集客効果を計算できるようにした情報処理装置および方法、並びにプログラムに関する。
【背景技術】
【０００２】
駐車場の利用状況を計測する技術が一般に普及しつつある。
【０００３】
駐車場の利用状況は、例えば、駐車場の出入口ゲート近傍に設けられた入退場車両検知装置によりカウントされる数値を利用台数として計測し、これをもって駐車場の利用状況とするものがある（特許文献１参照）。
【０００４】
【特許文献１】特開平８−１１５４９０号公報
【発明の開示】
【発明が解決しようとする課題】
【０００５】
ところで、昨今の郊外型大型商業施設には、顧客が自家用車で来店する傾向があり、顧客の地域密着性というものが希薄になりつつあるのが現状である。このため、集客を目的とした広告などは、闇雲に配布しようとすると広範囲の地域に配布する必要があり、広告費用が無駄に嵩んでしまう恐れがあった。
【０００６】
そこで、このような郊外型大型商業施設などでは、来店する顧客の傾向を駐車場に入場する車両のナンバプレートに記載された地域を示す情報により分析することで、来店する顧客の地域的な傾向を分析し、広告配布地域を選定したり、実際に配布した地域の顧客が来店したのかを吟味するといったことがなされている。尚、この車両のナンバプレートに記載された地域の情報は、昨今の御当地ナンバ制度の導入などにより、これまでよりも詳細な地域情報を得る手がかりとすることができる。
【０００７】
しかしながら、上述したような駐車場の利用状況を測定する設備では、ナンバプレートに記載された情報を取得することはできないため、人手によりナンバプレートに記載された地域の情報を集める必要があり、特に、郊外型大型商業施設の駐車場は、一般に広大な設備であることが多いため、ナンバプレートに記載された地域の情報を収集するのに掛かる時間的経済的なコストが嵩んでしまうことがあった。
【０００８】
本発明はこのような状況に鑑みてなされたものであり、駐車場に入場する車両のナンバプレートの情報を読み取ることで来店する顧客の地域の情報を取得し、これと併せて広告の配布地域の情報を用いて、広告の配布地域毎の広告に対する広告効果を求めることで、広告の配布効果を吟味できるようにすると供に、広告の配布地域を効率良く検討できるようにするものである。
【課題を解決するための手段】
【０００９】
本発明の一側面の情報処理装置は、店舗の駐車場に入場する車両の画像を撮像する入場車両撮像手段と、前記入場車両撮像手段により撮像された車両の画像より、前記車両のナンバプレートの情報を読み取る読取手段と、前記読取手段により読み取られたナンバプレートの情報に含まれる地域の情報を車両情報として蓄積する車両情報蓄積手段と、前記店舗の広告の配布地域毎の配布数を配布情報として記憶する配布情報記憶手段と、前記車両情報蓄積手段に蓄積された車両情報より、所定の地域に属する車両数の情報を検索する車両情報検索手段と、前記配布情報記憶手段により記憶された前記所定の地域の前記配布情報を検索する配布情報検索手段と、前記配布情報に対する前記車両情報の割合を、前記配布地域毎の広告効果として計算する広告効果計算手段とを含む。
【００１０】
前記車両情報蓄積手段には、前記読取手段により読み取られたナンバプレートの情報に含まれる地域の情報を日時ごとに蓄積させるようにすることができ、前記配布情報記憶手段には、前記店舗の広告の配布地域毎の配布数を日時ごとに配布情報として記憶させるようにすることができ、前記車両情報検索手段には、前記車両情報蓄積手段に蓄積された車両情報より、所定の地域に属する車両数の情報を日時ごとに検索させるようにすることができ、前記配布情報検索手段には、前記配布情報記憶手段より前記所定の地域の前記配布情報を日時ごとに検索させるようにすることができ、前記広告効果計算手段には、前記配布情報に対する前記車両情報の割合を、日時ごとに前記配布地域毎の広告効果として計算させるようにすることができる。
【００１１】
前記車両情報蓄積手段には、前記前記入場車両撮像手段により撮像された車両の画像から読み取られたナンバプレートの情報に含まれる地域の情報と共に、前記車両の前記駐車場への入場日時の情報を車両情報として蓄積させるようにすることができる。
【００１２】
前記店舗の駐車場を退場する車両の画像を撮像する退場車両撮像手段をさらに含ませるようにすることができ、前記読取手段には、前記入場車両撮像手段により撮像された車両の画像に加えて、前記退場車両撮像手段により撮像された車両の画像より、前記車両のナンバプレートの情報を読み取らせるようにすることができ、前記車両情報蓄積手段には、前記前記入場車両撮像手段により撮像された車両の画像から読み取られたナンバプレートの情報のうち、前記前記退場車両撮像手段により撮像された車両の画像から読み取られたナンバプレートの情報を検索させ、前記車両が退場した日時をさらに蓄積させるようにすることができる。
【００１３】
本発明の一側面の情報処理方法は、店舗の駐車場に入場する車両の画像を撮像する入場車両撮像ステップと、前記入場車両撮像ステップの処理により撮像された車両の画像より、前記車両のナンバプレートの情報を読み取る読取ステップと、前記読取ステップの処理により読み取られたナンバプレートの情報に含まれる地域の情報を車両情報として蓄積する車両情報蓄積ステップと、前記店舗の広告の配布地域毎の配布数を配布情報として記憶する配布情報記憶ステップと、前記車両情報蓄積ステップの処理で蓄積された車両情報より、所定の地域に属する車両数の情報を検索する車両情報検索ステップと、前記配布情報記憶ステップの処理により記憶された前記所定の地域の前記配布情報を検索する配布情報検索ステップと、前記配布情報に対する前記車両情報の割合を、前記配布地域毎の広告効果として計算する広告効果計算ステップとを含む。
【００１４】
本発明の一側面のプログラムは、店舗の駐車場に入場する車両の画像を撮像する入場車両撮像ステップと、前記入場車両撮像ステップの処理により撮像された車両の画像より、前記車両のナンバプレートの情報を読み取る読取ステップと、前記読取ステップの処理により読み取られたナンバプレートの情報に含まれる地域の情報を車両情報として蓄積する車両情報蓄積ステップと、前記店舗の広告の配布地域毎の配布数を配布情報として記憶する配布情報記憶ステップと、前記車両情報蓄積ステップの処理で蓄積された車両情報より、所定の地域に属する車両数の情報を検索する車両情報検索ステップと、前記配布情報記憶ステップの処理により記憶された前記所定の地域の前記配布情報を検索する配布情報検索ステップと、前記配布情報に対する前記車両情報の割合を、前記配布地域毎の広告効果として計算する広告効果計算ステップとを含む処理をコンピュータに実行させる。
【００１５】
本発明の一側面の情報処理装置および方法、並びにプログラムにおいては、店舗の駐車場に入場する車両の画像が撮像され、撮像された車両の画像より、前記車両のナンバプレートの情報が読み取られ、読み取られたナンバプレートの情報に含まれる地域の情報が車両情報として蓄積され、前記店舗の広告の配布地域毎の配布数が配布情報として記憶され、蓄積された車両情報より、所定の地域に属する車両数の情報が検索され、記憶された前記所定の地域の前記配布情報が検索され、前記配布情報に対する前記車両情報の割合が、前記配布地域毎の広告効果として計算される。
【００１６】
本発明の情報処理装置における、店舗の駐車場に入場する車両の画像を撮像する入場車両撮像手段とは、例えば、入口カメラであり、前記入場車両撮像手段により撮像された車両の画像より、前記車両のナンバプレートの情報を読み取る読取手段とは、例えば、ナンバプレート画像抽出部であり、前記読取手段により読み取られたナンバプレートの情報に含まれる地域の情報を車両情報として蓄積する車両情報蓄積手段とは、例えば、各店車両情報DBであり、前記店舗の広告の配布地域毎の配布数を配布情報として記憶する配布情報記憶手段とは、例えば、各店配布情報DBであり、前記車両情報蓄積手段に蓄積された車両情報より、所定の地域に属する車両数の情報を検索する車両情報検索手段とは、例えば、車両情報検索部であり、前記配布情報記憶手段により記憶された前記所定の地域の前記配布情報を検索する配布情報検索手段とは、例えば、配布情報検索部であり、前記配布情報に対する前記車両情報の割合を、前記配布地域毎の広告効果として計算する広告効果計算手段とは、例えば、広告効果計算部である。
【００１７】
すなわち、車両情報検索部は、各店車両情報DBに蓄積された読み取られたナンバプレートの情報に含まれる地域の情報である車両情報より、所定の地域に属する車両数の情報を検索する。配布情報検索部は、各店配布情報DBにより記憶された前記所定の地域の前記配布情報を検索する。そして、広告効果計算部が、前記配布情報に対する前記車両情報の割合を、前記配布地域毎の広告効果として計算することで、広告効果が求められることにより、地域毎の広告の配布数に対して駐車場に入場した車の数の割合が高ければ広告効果が大きく、逆にその割合が低ければ広告効果が小さいことを示すことが可能となる。
【００１８】
結果として、配布した広告による広告効果を数値化して検討することが可能になると供に、地域毎に広告効果を比較することで広告の配布地域を吟味することが可能となる。
【発明の効果】
【００１９】
本発明によれば、広告の配布地域毎の広告効果を求めることが可能となる。
【発明を実施するための最良の形態】
【００２０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
すなわち、本発明の一側面の情報処理装置は、店舗の駐車場に入場する車両の画像を撮像する入場車両撮像手段（例えば、図１の入口カメラ４０）と、前記入場車両撮像手段により撮像された車両の画像より、前記車両のナンバプレートの情報を読み取る読取手段（例えば、図４のナンバプレート画像抽出部７２）と、前記読取手段により読み取られたナンバプレートの情報に含まれる地域の情報を車両情報として蓄積する車両情報蓄積手段（例えば、図５の各店車両情報DB１１１）と、前記店舗の広告の配布地域毎の配布数を配布情報として記憶する配布情報記憶手段（例えば、図６の各店配布情報DB１４１）と、前記車両情報蓄積手段に蓄積された車両情報より、所定の地域に属する車両数の情報を検索する車両情報検索手段（例えば、図６の車両情報検索部１３６）と、前記配布情報記憶手段により記憶された前記所定の地域の前記配布情報を検索する配布情報検索手段（例えば、図６の配布情報検索部１３７）と、前記配布情報に対する前記車両情報の割合を、前記配布地域毎の広告効果として計算する広告効果計算手段（例えば、図６の広告効果計算部１３２）とを含む。
【００２２】
前記店舗の駐車場を退場する車両の画像を撮像する退場車両撮像手段（例えば、図１の出口カメラ４１）をさらに含ませるようにすることができ、前記読取手段には、前記入場車両撮像手段により撮像された車両の画像に加えて、前記退場車両撮像手段により撮像された車両の画像より、前記車両のナンバプレートの情報を読み取らせるようにすることができ、前記車両情報蓄積手段には、前記前記入場車両撮像手段により撮像された車両の画像から読み取られたナンバプレートの情報のうち、前記前記退場車両撮像手段により撮像された車両の画像から読み取られたナンバプレートの情報を検索させ、前記車両が退場した日時をさらに蓄積させるようにすることができる。
【００２３】
本発明の一側面の情報処理方法およびプログラムは、店舗の駐車場に入場する車両の画像を撮像する入場車両撮像ステップ（例えば、図１０のステップＳ６１）と、前記入場車両撮像ステップの処理により撮像された車両の画像より、前記車両のナンバプレートの情報を読み取る読取ステップ（例えば、図１０のステップＳ６２）と、前記読取ステップの処理により読み取られたナンバプレートの情報に含まれる地域の情報を車両情報として蓄積する車両情報蓄積ステップ（例えば、図１０のステップＳ８８）と、前記店舗の広告の配布地域毎の配布数を配布情報として記憶する配布情報記憶ステップ（例えば、図８のステップＳ１７）と、前記車両情報蓄積ステップの処理で蓄積された車両情報より、所定の地域に属する車両数の情報を検索する車両情報検索ステップ（例えば、図１２のステップＳ１０５）と、前記配布情報記憶ステップの処理により記憶された前記所定の地域の前記配布情報を検索する配布情報検索ステップ（例えば、図１２のステップＳ１０４）と、前記配布情報に対する前記車両情報の割合を、前記配布地域毎の広告効果として計算する広告効果計算ステップ（例えば、図１２のステップＳ１０６）とを含む。
【００２４】
図１は、本発明に係る広告効果管理システムの一実施の形態の構成を示す図である。
【００２５】
店舗１−１乃至１−ｎは、例えば、大容量の駐車場を備えた、いわゆる大型量販店などである。また、これらの店舗１−１乃至１−ｎは、系列店舗または車両情報管理センタ２や広告配布センタ５の加盟店であって、複数の店舗を統括的に管理する必要のある店舗である。各店舗１−１乃至１−ｎは、管理バス６により接続されており、それらのバスおよびインターネット等に代表される公衆通信回線網４を介して、相互にそれぞれ情報を授受している。尚、以降において、店舗１−１乃至１−ｎのそれぞれについて、特に区別する必要がない場合、単に、店舗１と称するものとし、その他の構成についても同様に称するものとする。
【００２６】
管理バス６は、主に各店舗１の駐車場利用車両情報管理装置２１により管理される車両情報、および店舗管理装置により管理される広告の配布情報などを流通させるための伝送路として機能する。
【００２７】
車両情報管理センタ２は、車両情報管理センタを管理運営する事業者により使用されるサーバであり、管理センタ車両情報データベース（以降、DBとも称するものとする）３で管理されている、全店舗１の広告の配布日や配布地域の情報である全店配布情報DB１７１（図７）、および全店舗１の駐車場利用車両情報である全店車両情報DB１７３（図７）を各店舗１により生成される各店配布情報DB１７２（図７）および各店車両情報DB１７４（図７）に基づいて更新すると供に、更新した最新の全店配布情報DB１７１および全店車両情報DB１７３を各店舗１の駐車場利用車両情報管理装置２１に対して配信する。
【００２８】
広告配布センタ５は、広告配布センタを管理する事業者により使用される、広告を印刷する機器を備えたサーバであり、各店舗１の店舗管理装置２４からの広告印刷の発注を受け付け、発注の際に指定される配布地域や配布日時などの情報に基づいて広告を印刷する。尚、広告配布センタ５により印刷された広告は、広告配布センタを管理する事業者により、配布地域や配布日時などの情報に基づいて、配布の手配がなされ、新聞などの折り込み広告などとして一般家庭などに配布される。
【００２９】
駐車場利用車両情報管理装置２１は、店舗１−１の駐車場１１−１のゲート５１（図２）に設置される入口カメラ４０−１乃至４０−ｐ、および出口カメラ４１−１乃至４１−ｐにより撮像された画像より画像処理ユニット３９−１乃至３９−２ｐにより抽出されて、車両情報バス３１を介して供給されてくる駐車場１１に入退場する車両のナンバプレートの画像の情報を、車両情報データベース２２に登録すると供に、必要に応じて、車両情報データベース２２に登録された車両の情報を所定の条件で検索し、検索結果をCRT（Cathode Ray Tube）またはLCD（Liquid Crystal Display）などからなる表示部２３に表示する。また、駐車場利用車両情報管理装置２１は、所定の時間間隔で管理センタ車両情報データベース３にアクセスし、各店舗１における駐車場１１の利用車両情報を各店車両情報DB１７４に登録する。
【００３０】
店舗管理装置２４は、店舗１を管理する店員などにより管理されるサーバであり、管理情報バス３０を介してPOS（Point Of Sales）精算機３６−１乃至３６−ｍからの販売情報を取得すると供に、管理する。また、店舗管理装置２４は、店員などからの要求に応じて、広告の印刷および配布を広告配布センタ５に対して発注すると供に、広告を発注する際、広告の配布地域および配布日などの配布情報を店舗管理データベース２６に蓄積させる。さらに、店舗管理装置２４は、必要に応じて、店舗管理データベース２６に登録された配布情報を所定の条件で検索し、検索結果をCRT（Cathode Ray Tube）またはLCD（Liquid Crystal Display）などからなる表示部２５に表示する。また、店舗管理装置２４は、所定の時間間隔で管理センタ車両情報データベース３にアクセスし、各店舗１における広告の配布情報を各店配布情報DB１７２に登録する。
【００３１】
入口カメラ４０−１乃至４０−ｐおよび出口カメラ４１−１乃至４１−ｐは、店舗１の駐車場１１におけるゲートに設置され、撮像した画像をそれぞれ画像処理ユニット３９−１乃至３９−２ｐに供給する。入口カメラ４０−１乃至４０−ｐおよび出口カメラ４１−１乃至４１−ｐは、例えば、図２，図３で示されるように設置される。図２は、店舗１における駐車場１１内の入口カメラ４０−１乃至４０−ｐおよび出口カメラ４１−１乃至４１−ｐの設置例を示しており、図３は、ゲート５１−１乃至５１−３付近における入口カメラ４０−１乃至４０−ｐおよび出口カメラ４１−１乃至４１−ｐの拡大配置図である。
【００３２】
すなわち、図２においては、駐車場１１にゲート５１−１乃至５１−３が設けられており、入口カメラ４０−１乃至４０−３は、それぞれのゲート５１−１乃至５１−３より入場する車両を前方から撮像する。また、出口カメラ４１−１乃至４１−３は、それぞれのゲート５１−１乃至５１−３より退場する車両を前方から撮像する。このように駐車場１１においては、全てのゲート５１に入口カメラ４０および出口カメラ４１が設けられているので、駐車場１１に入場する車両は、入場したゲート５１に設けられた入口カメラ４０により前方から必ず撮像されることになり、同様にして、駐車場１１から退場する際に、いずれか退場しようとするゲート５１に設けられた出口カメラ４１により前方から必ず撮像されることになる。
【００３３】
画像処理ユニット３９−１乃至３９−２ｐは、入口カメラ４０または出口カメラ４１より供給された画像より車両のナンバプレート画像を抽出して、駐車場利用車両情報管理装置２１に供給する。尚、入口カメラ４０および出口カメラ４１は、いずれもそれぞれを識別するカメラIDが設定されているので、画像処理ユニット３９は、供給された画像より車両のナンバプレート画像を抽出すると、画像を供給してきた入口カメラ４０または出口カメラ４１を識別するカメラIDを付して駐車場利用車両情報管理装置２１に供給する。
【００３４】
次に、図４を参照して、画像処理ユニット３９の構成例について説明する。
【００３５】
画像取得部７１は、入口カメラ４０または出口カメラ４１により撮像された画像を取得し、ナンバプレート画像抽出部７２に供給する。ナンバプレート画像抽出部７２は、画像取得部７１より供給されてきた画像内の、文字や記号の配置パターンによりナンバプレート画像からなる矩形画像を抽出して送信部７３に供給する。送信部７３は、ナンバプレート画像を駐車場利用車両情報管理装置２１に送信する。
【００３６】
次に、図５を参照して、駐車場利用車両情報管理装置２１の構成例について説明する。
【００３７】
制御部９１は、CPU（Central Processing Unit）、ROM（Read Only Memory）、およびRAM（Random Access Memory）からなる、いわゆるコンピュータであり、駐車場利用車両情報管理装置２１の動作の全体を制御している。また、制御部９１は、車両情報検索部１０１、各店車両情報DB更新申告部１０２、および全店車両情報DB更新部１０３を含んでいる。車両情報検索部１０１は、キーボードやボタンなどから構成される操作部９９が操作されることにより検索条件が入力されると、車両情報DB２２にアクセスし、検索条件に相当する情報を検索して、検索結果を表示部２３に表示する。
【００３８】
各店車両情報DB更新申告部１０２は、所定の時間間隔で車両情報DB２２にアクセスし、各店車両情報DB１１１の更新を申告するために、管理センタ車両情報DB３に、各店車両情報DB１１１を登録する。
【００３９】
全店車両情報DB更新部１０３は、所定の時間間隔で車両情報管理センタ２により配信されてくる全店車両情報DB１７４を取得すると供に、自らの車両情報DB２２の全店車両情報DB１１２を更新する。
【００４０】
ナンバプレート画像取得部９２は、画像処理ユニット３９より供給される顔画像を取得し、文字情報照合部９３に供給する。
【００４１】
文字情報照合部９３は、ナンバプレート画像取得部９２により取得されたナンバプレート画像より文字情報となる領域を２値化する。また、文字情報照合部９３は、２値化された文字情報を文字情報辞書DB９４に登録されている文字情報と比較し、文字情報を認識する。さらに、文字情報照合部９３は、文字情報辞書DB９４に予め登録されている文字情報との照合結果をテキストデータに変換し、テーブル登録部９５に供給する。
【００４２】
テーブル登録部９５は、テキストデータに変換されたナンバプレートの情報、ナンバプレート画像を撮像したカメラのカメラID、および、撮像日時などの情報を車両情報仮登録テーブル９６に登録すると供に、車両情報仮登録テーブル９６に新たに情報が登録されたことを入場車両情報照合部９７に通知する。
【００４３】
入場車両情報照合部９７は、テーブル登録部９５からの通知に基づいて、車両情報仮登録テーブル９６に新たに登録された情報が、入口カメラにより撮像されたナンバプレート画像に基づいたものである場合、ナンバプレート画像より得られる車両の地域情報、車種情報、登録番号、および入場日時の情報の情報を車両情報として各店車両情報DB１１１に登録する。また、出口カメラ４１により撮像されたナンバプレート画像により得られた車両情報であった場合、入場車両情報照合部９７は、既に、入口カメラ４０により撮像されて、各店車両情報DB１１１に登録済みの同一のナンバプレート画像の情報により得られた車両情報を検索し、検索された車両情報に駐車場１１の退場日時の情報を追加して登録する。
【００４４】
次に、図６を参照して、店舗管理装置２４の構成例について説明する。
【００４５】
制御部１２１は、CPU、RAM、およびROMから構成される、いわゆるマイクロコンピュータであり、店舗管理装置２４の動作の全体を制御している。制御部１２１は、版下作成部１３１、広告効果計算部１３２、各店配布情報DB登録部１３３、各店配布情報DB更新申告部１３４、全店配布情報DB更新部１３５、車両情報検索部１３６、配布情報検索部１３７、および販売情報管理部１３８を備えている。
【００４６】
版下作成部１３１は、キーボードまたはボタンなどからなる操作部１２３が操作されることにより、広告の原稿データである版下の作成が指示されると、配布先および配布日の情報と供に、商品の価格などを含めた版下を作成すると供に、通信部１２２を制御して、作成した版下のデータを広告配布センタ５に送信させる。各店配布情報DB登録部１３３は、版下作成部１３１が広告を作成する際、作成した広告の配布日および配布地域の情報を店舗管理DB２６に格納されている各店配布情報DB１４１に登録する。
【００４７】
広告効果計算部１３２は、操作部１２３が操作されることにより配布した広告に対しての広告効果を計算するように要求されると、配布情報検索部１３７を制御して、店舗管理DB２６に格納されている、各店配布情報DB１４１または全店配布情報DB１４２より所定の日時における配布情報（配布数）を検索させて取得すると供に、車両情報検索部１３６を制御して、駐車場利用車両情報DB２２の各店車両情報DB１１１または店車両情報DB１１２（店車両情報DB１１２が利用されるのは、自らの店舗１以外の広告効果を計算する場合）より配布情報に基づいた地域の車両情報を検索させる。そして、広告効果計算部１３２は、駐車場１１に入場した車両数、すなわち、実際に店舗１に来店した車両数の、配布した広告の配布数に対する割合を広告効果として計算し、計算結果をCRTまたはLCDなどにより構成される表示部２５に表示する。
【００４８】
各店配布情報DB更新申告部１３４は、内蔵するRTC（Real Time Clock）１３４ａにより発生される時刻情報に基づいて、所定の時間間隔で店舗管理DB２６の各店配布情報DB１４１を監視し、更新されていた場合、通信部１２２を制御して、各店配布情報DB１４１を管理センタ車両情報DB３の各店配布情報DB１７２としてアップロードする。
【００４９】
全店配布情報更新部DB１３５は、通信部１２２を介して、所定の時間間隔で車両情報管理センタ２より配布されてくる全店配布情報DB１７２を取得すると、取得した全店配布情報DB１７２により、店舗管理DB２６の全店配布情報DB１４２を更新する。
【００５０】
販売情報管理装置１３８は、POS精算機３６より供給されてくる販売情報、すなわち、販売した商品情報および販売価格の情報を、店舗管理DB２６の販売情報DB１４３に蓄積する。
【００５１】
次に、図７を参照して、車両情報管理センタ２の構成例について説明する。
【００５２】
車両情報管理センタ２は、DB配信部１５１、DB更新部１５２、およびDB更新判定部１５３から構成されており、管理センタ車両情報DB３に格納されている全店配布情報DB１７１および全店車両情報DB１７３を、それぞれ各店配布情報DB１７２および各店車両情報DB１７４に基づいて、更新する。より具体的には、DB更新判定部１５３は、時刻情報を発生するRTC（Real Time Clock）１５３ａを内蔵しており、その内蔵されているRTC１５３ａに基づいて、所定時間が経過すると、管理センタ車両情報DB３にアクセスし、各店車両情報DB１７４が新たに更新されたか否かを判定する。
【００５３】
DB更新判定部１５３は、各店車両情報DB１７４に新たな各店車両管理情報DB１１１（図５）が登録されていた場合、その旨をDB更新部１５２に通知する。これに応じて、DB更新部１５２の配布情報DB更新部１５２ａおよび車両情報DB更新部１５２ｂは、それぞれ各店配布情報DB１７２および各店車両情報DB１７４にアクセスする。さらに、配布情報DB更新部１５２ａおよび車両情報DB更新部１５２ｂは、それぞれ各店配布情報DB１７２および各店車両情報DB１７４を読み出して、全店配布情報DB１７１および全店車両情報DB１７３に登録して、更新する。さらに、DB更新部１５２は、全店配布情報DB１７１および全店車両情報DB１７３を更新すると、更新したことをDB配信部１５１に通知する。
【００５４】
DB配信部１５１は、DB更新部１５２より全店配布情報DB１７１および全店車両情報DB１７３が更新されたことを通知されると、DB配信部１５１の配布情報DB配信部１５１ａおよび車両情報DB配信部１５１ｂは、それぞれ管理センタ車両情報DB３にアクセスし、全店配布情報DB１７１および全店車両情報DB１７３を読み出して、各店舗１の駐車場利用車両情報管理装置２１および店舗管理装置２４に配信する。
【００５５】
次に、図８のフローチャートを参照して、広告作成処理について説明する。
【００５６】
ステップＳ１１において、版下作成部１３１は、操作部１２３が操作されて、広告の印刷および配布依頼を含む、広告の作成が指示されたか否かを判定し、広告の作成が指示されるまで、その処理を繰り返す。ステップＳ１１において、例えば、広告の作成が指示されたと判定された場合、ステップＳ１２において、版下作成部１３１は、表示部２５を制御して作成が指示された広告の配布日の入力を促す画面を表示し、ステップＳ１３において、操作部１２３を制御して、配布日の情報が入力されたか否かを判定する。ステップＳ１３において、配布日が入力されていないと判定された場合、その処理は、繰り返される。      
【００５７】
一方、ステップＳ１３において、操作部１２３が操作されて、配布日を指定する情報が入力された場合、ステップＳ１４において、各店配布情報DB登録部１３３は、操作部１２３が操作されることにより入力された配布日の情報を店舗管理DB２６の各店配布情報DB１４１に登録する。
【００５８】
ステップＳ１５において、版下作成部１３１は、表示部２５を制御して作成が指示された広告の配布地域と、それぞれの配布数の入力を促す画面を表示し、ステップＳ１６において、操作部１２３を制御して、配布地域および配布数の情報が入力されたか否かを判定する。ステップＳ１６において、配布地域および配布数の情報が入力されていないと判定された場合、その処理は、繰り返される。
【００５９】
一方、ステップＳ１６において、操作部１２３が操作されて、配布地域および配布数を指定する情報が入力された場合、ステップＳ１７において、各店配布情報DB登録部１３３は、操作部１２３が操作されることにより入力された配布地域および配布数の情報を店舗管理DB２６の各店配布情報DB１４１に登録する。
【００６０】
ステップＳ１８において、版下作成部１３１は、表示部２５を制御して作成が指示された広告の広告情報の入力を促す画面を表示し、ステップＳ１９において、操作部１２３を制御して、広告情報が入力されたか否かを判定する。ステップＳ１９において、広告情報が入力されていないと判定された場合、その処理は、繰り返される。
【００６１】
一方、ステップＳ１９において、操作部１２３が操作されて、広告情報が入力された場合、ステップＳ２０において、各店配布情報DB登録部１３３は、操作部１２３が操作されることにより入力された広告情報を店舗管理DB２６の各店配布情報DB１４１に登録する。
【００６２】
すなわち、ステップＳ１４，Ｓ１７，Ｓ２０の処理により、例えば、図９で示されるような各店配布情報DB１４１に登録される。図９の各店配布情報DB１４１においては、上から店舗番号欄、配布日欄、配布地域欄、および広告内容欄が設けられている。図９においては、店舗番号欄には、「１１１」と登録されており、店舗１を個別に識別する店舗番号が「１１１」として登録されている。尚、店舗番号は、各店舗１において予め定められているので、店舗番号欄には、予め割り当てられた店舗番号が入力されている。また、配布日としては、「２００６／０６／０９」と登録されており、作成が指示された広告が２００６年６月９日に配布されることが示されている。さらに、配布地域欄には「品川ｘ、川崎ｙ、横浜ｚ」と登録されており、配布地域として品川、川崎、横浜が登録されており、それぞれの地域の配布数としてｘ，ｙ，ｚが指示されている。尚、配布地域の入力は、ナンバプレートの登録が可能な地域名称が設定される。また、広告内容欄には、「Ｆｉｌｅ９．ｄｏｃ」と登録されており、ファイル名が「Ｆｉｌｅ９．ｄｏｃ」であるファイルが版下が記録されたファイルであることが示されている。
【００６３】
ステップＳ２１において、版下作成部１３１は、店舗管理DB２６の各店配布情報DB１４１にアクセスして、登録されている配布情報を読み出して、対応する広告の版下を作成する。
【００６４】
ステップＳ２２において、版下作成部１３１は、通信部１２２を制御して、作成した版下情報と供に、配布情報を広告配布センタ５に送信する。
【００６５】
ステップＳ４１において、広告配布センタ５は、版下情報が店舗管理装置２４より送信されてきたか否かを判定し、送信されてくるまで、その処理を繰り返す。ステップＳ４１において、例えば、ステップＳ２２の処理により版下情報と供に配布情報が送信されてきた場合、ステップＳ４２において、広告配布センタ５は、送信されてきた配布情報に基づいて、広告を印刷させると供に、印刷された広告を必要に応じて新聞紙に折り込むなどして、指定された配布先に対して配布可能に仕分けする。
【００６６】
以上の処理により、各店配布情報DB１４１に配布が指示された広告の配布情報が蓄積されるとともに、指定された配布日に指定された配布地域で、印刷された広告が新聞などと供に一般家庭に対して配布されることになる。
【００６７】
次に、図１０のフローチャートを参照して駐車場利用車両情報DB登録処理について説明する。
【００６８】
ステップＳ６１において、入口カメラ４０または出口カメラ４１は、設置されている範囲の画像を撮像し、撮像した画像を画像処理ユニット３９に供給する。画像処理ユニット３９の画像取得部７１は、供給された画像を取得し、ナンバプレート画像抽出部７２に供給する。
【００６９】
ステップＳ６２において、ナンバプレート画像抽出部７２は、供給された画像よりナンバプレート画像を抽出し、送信部７３に供給する。より具体的には、ナンバプレート画像抽出部７２は、例えば、撮像された画像の色や形状などから所定比率の長方形であって、白、黒、または緑などのナンバプレートとして識別可能な部位の情報などからナンバプレート画像を抽出して、送信部７３に供給する。
【００７０】
ステップＳ６３において、送信部７３は、ナンバプレート画像抽出部７２より供給されてきたナンバプレート画像を駐車場利用車両情報管理装置２１に送信する。この際、送信部７３は、入口カメラ４０、または出口カメラ４１のそれぞれを識別するカメラIDや、送信時刻の情報などの情報を顔画像に付加して駐車場利用車両情報管理装置２１に送信する。
【００７１】
ステップＳ８１において、駐車場利用車両情報管理装置２１のナンバプレート画像取得部９２は、ナンバプレート画像を取得する。
【００７２】
ステップＳ８２において、ナンバプレート画像取得部９２は、供給されたナンバプレート画像のうち、いずれか未処理の１つを抽出し、文字情報照合部９３に供給する。
【００７３】
ステップＳ８３において、文字情報照合部９３は、供給されてきたナンバプレート画像を２値化する。すなわち、文字情報照合部９３は、例えば、ナンバプレート画像をモノクロ画像などに変換し、ナンバプレート画像のうちの文字となる部分を認識しやすい画像に変換する。
【００７４】
ステップＳ８４において、文字情報照合部９３は、２値化されたナンバプレート画像と、文字情報辞書DB９４に登録されている文字情報とを照合し文字として認識する。
【００７５】
ステップＳ８５において、文字情報照合部９３は、文字として認識されたナンバプレートの情報をテキストデータに変換し、テーブル登録部９５に供給する。すなわち、文字情報照合部９３は、ステップＳ８３乃至Ｓ８５の処理によりナンバプレート画像よりナンバプレートとして表記されている文字を認識し、認識したナンバプレートの文字情報をテキストデータとしてテーブル登録部９５に供給する。尚、この際、文字情報照合部９３は、ナンバプレート画像を撮像したカメラを識別するカメラIDおよび撮像日時の情報も合わせてテーブル登録部９５に供給する。
【００７６】
ステップＳ８６において、テーブル登録部９５は、ナンバプレートのテキストデータに基づいて、ナンバプレートの情報を認識し、認識結果を車両情報仮登録テーブル９６に登録すると供に、入場車両情報照合部９７に対して新たに車両情報仮登録テーブル９６に車両情報が登録されたことを通知する。すなわち、テーブル登録部９５は、ナンバプレートのテキストデータに基づいて、その車両の地域、車種（普通車、大型車、軽車両など）登録番号を認識すると供に、それぞれの項目に応じて、車両情報仮登録テーブル９６に仮登録する。
【００７７】
ステップＳ８７において、入場車両情報照合部９７は、車両情報仮登録テーブルに仮登録された車両情報となるナンバプレート画像を撮像したカメラのカメラIDが出口カメラ４１のものであるか否かを判定する。
【００７８】
ステップＳ８７において、例えば、車両情報となるナンバプレート画像を撮像したカメラのカメラIDが出口カメラ４１のものではない、すなわち、車両情報となるナンバプレート画像を撮像したカメラのカメラIDが入口カメラ４０で撮像されたものである場合、ステップＳ９０において、入場車両情報照合部９７は、車両情報仮登録テーブル９６に仮登録されている車両情報を車両情報DB２２の各店車両情報DB１１１に登録する。この処理により、駐車場１１のゲート５１より車両が進入すると、進入した車両の車両情報の地域情報、車種情報、登録番号、および入場日時（入口カメラ４０によりナンバプレート画像が撮像された撮像日時）が入場車両として登録されることになる。
【００７９】
一方、ステップＳ８７において、例えば、車両情報となるナンバプレート画像を撮像したカメラのカメラIDが出口カメラ４１で撮像されたものである場合、ステップＳ８８において、入場車両情報照合部９７は、車両情報仮登録テーブル９６に仮登録されている車両情報を車両情報DB２２の各店車両情報DB１１１に登録されている車両情報から検索し、退場日時（出口カメラ４１によりナンバプレート画像が撮像された撮像日時）を登録する。すなわち、出口カメラ４１により撮像されたナンバプレート画像から抽出された車両情報については、対象となる車両が駐車場１１のゲート５１より入場する際に同一の車両に対する車両情報が登録された状態であるので、登録された同一車両の車両情報が検索されて、新たな情報として駐車場１１のゲート５１からの退場日時のみが退場車両情報として追加で登録される。尚、この際、入場車両情報照合部９７は、入場日時と退場日時の情報に基づいて、滞在時間を計算し、各店車両情報DB１１１に登録する。
【００８０】
ステップＳ８９において、ナンバプレート画像取得部９２は、全てのナンバプレート画像が処理されたか否かを判定し、全てのナンバプレート画像が処理されていないと判定した場合、処理は、ステップＳ８２に戻る。一方、ステップＳ８９において、全てのナンバプレート画像が処理されていると判定された場合、処理は、ステップＳ８１に戻る。
【００８１】
以上のような処理により、例えば、図１１で示されるような各店車両情報DB１１１が生成される。図１１で示される各店車両情報DB１１１においては、左からNo欄、店舗番号欄、地域情報欄、車種情報欄、登録番号欄、入場日時欄、退場日時欄、および滞在時間欄が設けられている。
【００８２】
図１１においては、No欄には、上から１乃至５と順次登録され、店舗番号欄には、いずれも「１１１」が登録され、地域情報欄には、上から「品川」、「品川」、「川崎」、「品川」、および「多摩」と登録され、車種情報欄には、「普通」、「大型」、「普通」、「普通」、および「軽車両」と登録され、登録番号欄には、上から「１１−１１」、「２２−２２」、「３３−３３」、「４４−４４」、および「５５−５５」と登録され、入場日時欄には「060625084532」、「060625084701」、「060625085005」、「060625085515」、および「060625085720」と登録され、退場日時欄には「060625110132」、「060625123530」、「060625134010」、「060625103015」、および「060625115945」と登録され、滞在時間欄には、「02：16：00」、「04：36：29」、「04：50：05」、「01：35：00」、および「03：02：25」と登録されており、No.1の車両情報は、店舗番号が「１１１」の店舗における情報であり、地域情報が「品川」であり、車種情報が「普通車」であり、登録番号が「１１−１１」であり、入場日時が「2006年6月25日の8時45分32秒」であり、退場日時が「2006年6月25日の11時1分32秒」であり、滞在時間が「2時間16分」であることが示されている。
【００８３】
また、No.2の車両情報は、店舗番号が「１１１」の店舗における情報であり、地域情報が「品川」であり、車種情報が「大型車」であり、登録番号が「２２−２２」であり、入場日時が「2006年6月25日の8時47分1秒」であり、退場日時が「2006年6月25日の12時35分30秒」であり、滞在時間が「4時間36分29秒」であることが示されている。
【００８４】
さらに、No.3の車両情報は、店舗番号が「１１１」の店舗における情報であり、地域情報が「川崎」であり、車種情報が「普通車」であり、登録番号が「３３−３３」であり、入場日時が「2006年6月25日の8時50分5秒」であり、退場日時が「2006年6月25日の13時40分10秒」であり、滞在時間が「4時間50分5秒」であることが示されている。
【００８５】
また、No.4の車両情報は、店舗番号が「１１１」の店舗における情報であり、地域情報が「品川」であり、車種情報が「普通車」であり、登録番号が「４４−４４」であり、入場日時が「2006年6月25日の8時55分15秒」であり、退場日時が「2006年6月25日の10時30分15秒」であり、滞在時間が「1時間35分」であることが示されている。
【００８６】
さらに、No.5の車両情報は、店舗番号が「１１１」の店舗における情報であり、地域情報が「多摩」であり、車種情報が「軽車両」であり、登録番号が「５５−５５」であり、入場日時が「2006年6月25日の8時57分20秒」であり、退場日時が「2006年6月25日の11時59分45秒」であり、滞在時間が「3時間2分25秒」であることが示されている。
【００８７】
すなわち、以上の処理により、例えば、No.1の車両が駐車場１１のゲート５１に進入して入場する場合、入口カメラ４０により撮像され、ステップＳ９０において、地域情報として「品川」が、車種情報として「普通車」が、登録番号として「１１−１１」が、入場日時として「2006年6月25日の8時45分32秒」が、それぞれ各店車両情報DB１１１に登録されることになり、この際には、退場日時欄、および滞在時間欄は、空欄となる。さらに、その後、同一の車両が駐車場１１のゲート５１より退場する場合、出口カメラ４１により撮像され、ステップＳ８８において、地域情報が「品川」、車種情報が「普通車」、登録番号が「１１−１１」のそれぞれの車両情報に基づいて、各店車両情報DB１１１で検索されることにより、No.1の車両情報が検索されることになり、さらに、出口カメラ１１により撮像された日時情報である「2006年6月25日の11時1分32秒」が退場日時として登録されると供に、退場日時から入場日時の情報の時刻間差分により、滞在時間が「2時間16分」として求められ、滞在時間欄に登録される。
【００８８】
次に、図１２のフローチャートを参照して、店舗管理装置２４による広告効果計算処理について説明する。
【００８９】
ステップＳ１０１において、広告効果計算部１３２は、操作部１２３が操作されることにより広告効果の計算が要求されているか否かを判定し、広告効果の計算が要求されるまで、その処理を繰り返す。
【００９０】
ステップＳ１０１において、例えば、操作部１２３が操作されて、広告効果の計算が要求された場合、ステップＳ１０２において、広告効果計算部１３２は、広告効果の計算の対象となる広告の配布日、店舗番号、および配布地域の入力を促す画面を表示部２５に表示させる。
【００９１】
ステップＳ１０３において、広告効果計算部１３２は、操作部１２３が操作されて、広告効果の計算の対象となる広告の配布日、店舗番号、および配布地域が入力されたか否かを判定し、広告効果の計算の対象となる広告の配布日、店舗番号、および配布地域が入力されたと判定されるまで、その処理が繰り返される。
【００９２】
ステップＳ１０３において、操作部１２３が操作されて、広告効果の計算の対象となる広告の配布日、店舗番号、および配布地域が入力された場合、ステップＳ１０４において、広告効果計算部１３２は、配布情報検索部１３７を制御して、店舗管理DB２６の各店配布情報DB１４１（または全店配布情報DB１４２）にアクセスさせ、広告効果の計算の対象となる広告の配布日、店舗番号、および配布地域に基づいて、対応する配布情報（広告の配布数）を検索させる。配布情報検索部１３７は、広告効果の計算の対象となる広告の配布日および店舗番号の配布情報を検索し、検索結果を広告効果計算部１３２に供給する。
【００９３】
例えば、広告の配布日、店舗番号、および配布地域として、「2006年6月9日」、「１１１」、および「品川」、「川崎」、および「横浜」である場合、図９で示されるような情報が店舗管理DB２６の各店配布情報DB１４１に登録されているとき、配布情報としては、（ｘ＋ｙ＋ｚ）の配布地域全体の配布数の合計が配布情報として検索される。
【００９４】
ステップＳ１０５において、広告効果計算部１３２は、車両情報検索部１３６を制御して、駐車場利用車両情報DB２２の各店車両情報DB１１１（または全店車両情報DB１１２）にアクセスさせ、広告効果の計算の対象となる広告の配布日、店舗番号、および配布地域に基づいて、対応する車両情報（対象となる車両情報の数）を検索させる。車両情報検索部１３６は、広告効果の計算の対象となる広告の配布日および店舗番号の車両情報を検索し、検索結果を広告効果計算部１３２に供給する。
【００９５】
例えば、広告の配布日、店舗番号、および配布地域として、「2006年6月9日」、「１１１」、および「品川」、「川崎」、および「横浜」である場合、車両情報としては、入場日時が「2006年6月9日」で、かつ、地域情報が「品川」、「川崎」、および「横浜」となる店舗番号が「１１１」の車両情報（車両数）が検索される。図１１の場合、No．１乃至４は、この条件に一致するので、４台が車両情報として検索されることになる。すなわち、配布地域は、ナンバプレートにおける地域情報と同様に区分されているので、ナンバプレートにおける地域情報そのものが配布地域の検索対象となる。
【００９６】
ステップＳ１０６において、広告効果計算部１３２は、車両情報検索部１３６より供給されてくる車両情報（広告効果の計算の対象となる広告の配布日、店舗番号、および配布地域に該当する車両数）と、配布情報検索部１３７より供給されてくる配布情報（広告効果の計算の対象となる広告の配布日、店舗番号、および配布地域に配布された配布数）とに基づいて、広告効果を計算する。より具体的には、広告効果計算部１３２は、車両情報Xおよび配布情報Yを用いて、広告効果Z（＝X／Y）を計算する。すなわち、広告効果Zは、広告の配布数に対する店舗１への来店者（駐車場１１に入場した車両数）を示すものであり、高ければ広告の効果が高いことを示し、低ければ広告の効果が低いことを示す。
【００９７】
ステップＳ１０７において、広告効果計算部１３２は、表示部２５を制御して、計算結果である広告効果Ｚを表示させ、処理は、ステップＳ１０１に戻る。
【００９８】
以上の処理により、広告の配布日、店舗番号、および配布地域毎に広告効果を数値化することが可能となり、例えば、特定の配布日、特定の店舗、または、特定の配布地域毎に広告効果を比較することが可能となるので、広告費用に対する集客効果や、各店舗１におけるセールなどのイベントによる広告効果を数値化して評価することが可能となる。さらに、広告の配布日、店舗番号、および配布地域毎の広告効果から、広告の配布日や配布地域毎の広告の内容を評価することが可能となる。
【００９９】
次に、図１３のフローチャートを参照して、店舗管理装置２４による各店配布情報DB更新処理について説明する。
【０１００】
ステップＳ１２１において、各店配布情報DB更新申告部１３４は、RTC１３４ａにより発生される時刻情報に基づいて、所定の時間が経過したか否かを判定し、所定の時間が経過したと判定されるまで、その処理を繰り返す。
【０１０１】
ステップＳ１２１において、例えば、所定の時間が経過したと判定された場合、ステップＳ１２２において、各店配布情報DB更新申告部１３４は、通信部１２２を制御して、管理センタ車両情報DB３にアクセスし、店舗管理DB２６の各店配布情報DB１４１の情報を、各店配布情報DB１７２として登録し、処理は、ステップＳ１２１に戻る。
【０１０２】
すなわち、以上の処理により、例えば、１日１回程度の時間間隔で、店舗１−１乃至１ｎのそれぞれから、最新の各店配布情報DB１４１が、管理センタ車両情報DB３の各店配布情報DB１７２として登録される。
【０１０３】
次に、図１４のフローチャートを参照して、駐車場利用車両情報管理装置２１による各店車両情報DB更新処理について説明する。
【０１０４】
ステップＳ１４１において、各店車両情報DB更新申告部１０２は、RTC１０２ａにより発生される時刻情報に基づいて、所定の時間が経過したか否かを判定し、所定の時間が経過したと判定されるまで、その処理を繰り返す。
【０１０５】
ステップＳ１４１において、例えば、所定の時間が経過したと判定された場合、ステップＳ１４２において、各店車両情報DB更新申告部１０２は、通信部９８を制御して、管理センタ車両情報DB３にアクセスし、車両情報DB２２の各店車両情報DB１１１の情報を、各店車両情報DB１７４として登録し、処理は、ステップＳ１２１に戻る。
【０１０６】
すなわち、以上の処理により、例えば、１日１回程度の時間間隔で、店舗１−１乃至１ｎのそれぞれから、最新の各店車両情報DB１１１が、管理センタ車両情報DB３の各店配布情報DB１７４として登録される。
【０１０７】
次に、図１５のフローチャートを参照して、DB更新処理について説明する。
【０１０８】
ステップＳ１６１において、車両情報管理センタ２のDB更新判定部１５３は、RTC１５３ａに問合せて、所定の時間が経過したか否かを判定し、所定の時間が経過するまで、その処理を繰り返す。例えば、ステップＳ１６１において、所定の時間が経過したと判定された場合、ステップＳ１６２において、DB更新判定部１５３は、管理センタ車両情報DB３の各店車両情報DB１７４にアクセスし、各店車両情報DB１７４が更新されているか否かを判定し、更新されていると判定されるまで、ステップＳ１６１，Ｓ１６２の処理を繰り返す。
【０１０９】
ステップＳ１６２において、例えば、ステップＳ１４２の処理により、新たに各店車両情報DB１７４が更新されている場合、ステップＳ１６３において、DB更新判定部１５３は、DB更新部１５２に対して、全店車両情報DB１７３および全店配布情報DB１７２の更新をするべき状態になったことを通知する。これに応じて、DB更新部１５２は、車両情報DB更新部１５２ｂを制御して、各店車両情報DB１７４を全て読み出させると供に、全店車両情報DB１７３にアクセスさせ、読み出した各店車両情報DB１７４を上書きさせることにより、全店車両情報DB１７３を更新する。
【０１１０】
ステップＳ１６４において、DB更新部１５２は、配布情報DB更新部１５２ａを制御して、各店配布情報DB１７２を全て読み出させると供に、全店配布情報DB１７１にアクセスさせ、読み出した各店配布情報DB１７２を上書きさせることにより、全店配布情報DB１７１を更新する。
【０１１１】
ステップＳ１６５において、DB配信部１５１は、車両情報DB配信部１５１ｂを制御して、管理センタ車両情報DB３の新たに更新された全店車両情報１７３を読み出さすと供に、駐車場利用車両情報管理装置２１の全店車両情報DB更新部１０３に読み出した全店車両情報１７３を配信する。
【０１１２】
ステップＳ１８１において、全店車両情報DB更新部１０３は、車両情報管理センタ２より更新された新たな全店車両情報１７３が配信されてきたか否かを判定し、配信されてくるまで、その処理を繰り返す。
【０１１３】
ステップＳ１８１において、例えば、ステップＳ１６５の処理により、車両情報管理センタ２のDB配信部１５１より新たに更新された全店車両情報１７３が配信されてくると、ステップＳ１８２において、全店車両情報DB更新部１０３は、配信されてくる全店車両情報１７３を取得すると供に、全店車両情報１７３の情報に基づいて、車両情報DB２２の全店車両情報DB１１２を更新する。より詳細には、全店車両情報DB更新部１０３は、全店車両情報DB１１２に、新たに配信されてきた全店車両情報１７３の情報をコピーして上書きする。
【０１１４】
ステップＳ１６６において、DB配信部１５１は、配布情報DB配信部１５１ａを制御して、管理センタ車両情報DB３の新たに更新された全店配布情報１７１を読み出さすと供に、店舗管理装置２４の全店配布情報DB更新部１３５に読み出した全店配布情報１７１を配信する。
【０１１５】
ステップＳ２０１において、全店配布情報DB更新部１３５は、車両情報管理センタ２より更新された新たな全店配布情報１７１が配信されてきたか否かを判定し、配信されてくるまで、その処理を繰り返す。
【０１１６】
ステップＳ２０１において、例えば、ステップＳ１６６の処理により、車両情報管理センタ２のDB配信部１５１より新たに更新された全店配布情報１７１が配信されてくると、ステップＳ２０２において、全店配布情報DB更新部１３５は、配信されてくる全店配布情報１７１を取得すると供に、全店配布情報１７１の情報に基づいて、店舗管理DB２６の全店配布情報DB１４２を更新する。より詳細には、全店配布情報DB更新部１３５は、全店配布情報DB１４２に、新たに配信されてきた全店配布情報１７１の情報をコピーして上書きする。
【０１１７】
以上の処理により、店舗１−１乃至１−ｎにおいて、車両情報管理センタ２は、例えば、１日に１回の間隔で、管理センタ車両情報DB３の各店車両情報DB１７４が更新されているか否かを判定することで、その店舗１が営業日であるか否かを判定し、各店車両情報DB１７４が更新されている場合、すなわち、店舗１が営業日であった場合、店舗１−１乃至１−ｎのそれぞれにより更新された各店車両情報DB１７４および各店配布情報DB１７２の情報を、それぞれ全店車両情報DB１７３および全店配布情報DB１７１に加えて更新させる。さらに、更新された全店車両情報DB１７３および全店配布情報DB１７１が、店舗１−１乃至１−ｎのそれぞれにおける、車両情報DB２２の全店車両情報DB１１２、および店舗管理DB２６の全店配布情報DB１４２を更新させる。
【０１１８】
このため、店舗１−１乃至１−ｎのそれぞれの店舗１において、他店舗の車両情報および配布情報を共有することが可能となる。
【０１１９】
結果として、上述したような、広告の配布日、店舗番号、および配布地域毎に広告効果を各店舗毎に計算することで、広告効果を各店舗毎に比較することが可能となると共に、店舗１−１乃至１−ｎの全体に対する広告効果を数値化して評価することが可能となる。
【０１２０】
以上によれば、広告の配布地域毎の広告に対する広告効果を求めることが可能となる。
【０１２１】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２２】
図１６は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１２３】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１２４】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１２５】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１２６】
また、本明細書において、システムとは、複数の装置により構成される装置全体を表すものである。
【図面の簡単な説明】
【０１２７】
【図１】本発明を適用した広告効果管理システムの一実施の形態の構成を示す図である。
【図２】図１の入口カメラおよび出口カメラの設置例を示す図である。
【図３】図１の入口カメラおよび出口カメラの設置例を示す図である。
【図４】図１の画像処理ユニットの構成例を説明する図である。
【図５】図１の駐車場利用車両情報管理装置の構成例を説明する図である。
【図６】図１の店舗管理装置の構成例を説明する図である。
【図７】図１の車両情報管理センタの構成例を説明する図である。
【図８】広告作成処理を説明するフローチャートである。
【図９】各店配布情報DBの例を説明する図である。
【図１０】駐車場利用車両情報DB登録処理を説明するフローチャートである。
【図１１】各店車両情報DBの例を説明する図である。
【図１２】広告効果計算処理を説明するフローチャートである。
【図１３】各店配布情報DB更新申告処理を説明するフローチャートである。
【図１４】各店車両情報DB更新申告処理を説明するフローチャートである。
【図１５】DB更新処理を説明するフローチャートである。
【図１６】汎用のパーソナルコンピュータの構成例を説明する図である。
【符号の説明】
【０１２８】
１，１−１乃至１−ｎ  店舗
２  車両情報管理センタ
３  管理センタ車両情報データベース
５  広告配布センタ
２１  駐車場利用車両情報管理装置
２２  車両情報データベース
２４  店舗管理装置
２６  店舗管理データベース
４０，４０−１乃至４０−ｐ  入口カメラ
４１，４１−１乃至４１−ｑ  出口カメラ
【図１】
2008003993.tif 000003
【図２】
2008003993.tif 000004
【図３】
2008003993.tif 000005
【図４】
2008003993.tif 000006
【図５】
2008003993.tif 000007
【図６】
2008003993.tif 000008
【図７】
2008003993.tif 000009
【図８】
2008003993.tif 000010
【図９】
2008003993.tif 000011
【図１０】
2008003993.tif 000012
【図１１】
2008003993.tif 000013
【図１２】
2008003993.tif 000014
【図１３】
2008003993.tif 000015
【図１４】
2008003993.tif 000016
【図１５】
2008003993.tif 000017
【図１６】
2008003993.tif 000018